(57)【特許請求の範囲】
【請求項１】
体内から吸引された血液等の被濾過物を濾過するための濾過器具であって、
濾液を収容するための容器と、
被濾過物を濾過するためのフィルタ要素を有し、前記容器の上部に組付け可能なフィルタ本体と、を備え、
前記容器は、前記フィルタ本体が前記容器に組付けられた状態において、前記容器に収容された濾液を排出するための通路を形成する通路形成部を有しているとともに、濾過姿勢から傾斜させて排出姿勢にすることにより前記通路を介した前記容器からの濾液の排出が行われることを特徴とする濾過器具。
【請求項２】
体内から吸引された血液等の被濾過物を濾過するための濾過器具であって、
濾液を収容するための容器と、
被濾過物を濾過するためのフィルタ要素を有し、前記容器の上部に組付け可能なフィルタ本体と、を備え、
前記容器は、前記フィルタ本体が前記容器に組付けられた状態において、前記容器に収容された濾液を排出するための通路を形成する通路形成部を有し、
前記容器から前記通路を通って濾液が溢れ出る前に濾液の量を目視可能とする液量目視部を有することを特徴とする濾過器具。
【請求項３】
前記フィルタ要素はフィルタ面を形成し、
前記通路形成部は濾液が容器から溢れる溢れ位置を有し、
前記溢れ位置は前記フィルタ面よりも上方に位置し、
前記フィルタ要素が前記液量目視部を形成していることを特徴とする請求項２に記載の濾過器具。
【請求項４】
前記通路形成部は、前記容器の外側に向かって開口する開口部を有し、
前記開口部は濾過器具の上方から目視可能とされ、
前記開口部が前記液量目視部を形成することを特徴とする請求項２に記載の濾過器具。
【請求項５】
前記通路形成部は、濾過器具の上方から目視可能な段差部を有することを特徴とする請求項４に記載の濾過器具。
【請求項６】
前記フィルタ本体は、前記フィルタ本体が前記容器に組付けられた状態で容器に収容された濾液を排出する際に、前記フィルタ要素から濾液が排出されることを抑止する抑止部を有することを特徴とする請求項１〜５のいずれか一項に記載の濾過器具。
【発明の詳細な説明】
【技術分野】
【０００１】
本発明は、カテーテルにより体内から吸引された血液等を濾過するための医療用の濾過器具に関する。
【背景技術】
【０００２】
血栓吸引カテーテルを使用することにより患者の血管内から血液とともに血栓を吸引することができる。この吸引された血栓を観察・分析するために、濾過器具を使用して血液と血栓とを分離する必要がある。特許文献１には、フィルタ本体に相当するセルストレーナと、濾液を収容するための容器に相当するチューブとを備える濾過器具が開示されている。セルストレーナはフィルタ要素に相当するメッシュを備えている。具体的には、セルストレーナをチューブの上に組付け、セルストレーナに血液と血栓の混合物を入れる。その混合物がセルストレーナのメッシュによって濾過され、セルストレーナのメッシュ上に残った血栓を観察・分析する。一方、チューブ内に濾液として残った血液については、血液の廃棄作業を行う。
【先行技術文献】
【特許文献】
【０００３】
【特許文献１】実開平５−８５４０５号公報
【発明の概要】
【発明が解決しようとする課題】
【０００４】
特許文献１に記載の濾過器具の場合、血液廃棄作業においては、チューブからセルストレーナを取り外したうえで、チューブを傾けて、チューブに排出姿勢を取らせる必要がある。医療用の濾過器具においては、このような血液等の廃棄作業を状況に応じてより簡易な手順で行えることが好ましく、この点においていまだ改良の余地がある。
【０００５】
本発明は、上記事情に鑑みてなされたものであり、より利便性の高い濾過器具を提供することを主たる目的とする。
【課題を解決するための手段】
【０００６】
第１の発明の濾過器具は、体内から吸引された血液等の被濾過物を濾過するための濾過器具であって、濾液を収容するための容器と、被濾過物を濾過するためのフィルタ要素を有し、前記容器の上部に組付け可能なフィルタ本体と、を備え、前記容器は、前記フィルタ本体が前記容器に組付けられた状態において、前記容器に収容された濾液を排出するための通路を形成する通路形成部を有しているとともに、濾過姿勢から傾斜させて排出姿勢にすることにより前記通路を介した前記容器からの濾液の排出が行われることを特徴とする。
【０００７】
本発明によれば、フィルタ本体が容器に組付けられた状態において濾液を排出するための通路を形成する通路形成部を有しているので、容器からフィルタ本体を取り外すことなく濾液を排出することが可能であり、利便性が高くなっている。血液等の被濾過物を濾過する際には、濾過器具は略水平な濾過姿勢を取る。濾液を排出する際には、濾過器具は、濾過姿勢に対して傾斜した排出姿勢を取る。すなわち、濾過器具は、傾斜した排出姿勢を取るのみで濾液を排出することができる。また、容器からフィルタ本体を取り外して濾液を排出することも可能であり、状況に応じて適切なやり方で濾液を容器から排出することができるようになっている。
【０００８】
第２の発明の濾過器具は、体内から吸引された血液等の被濾過物を濾過するための濾過器具であって、濾液を収容するための容器と、被濾過物を濾過するためのフィルタ要素を有し、前記容器の上部に組付け可能なフィルタ本体と、を備え、前記容器は、前記フィルタ本体が前記容器に組付けられた状態において、前記容器に収容された濾液を排出するための通路を形成する通路形成部を有し、前記容器から前記通路を通って濾液が溢れ出る前に濾液の量を目視可能とする液量目視部を有することを特徴とする。
【０００９】
本発明によれば、フィルタ本体が容器に組付けられた状態において濾液を排出するための通路を形成する通路形成部を有しているので、容器からフィルタ本体を取り外すことなく濾液を排出することが可能であり、利便性が高くなっている。また、液量目視部を目視することにより、濾液が溢れ出る前に濾液の量を目視することができる。したがって、濾過器具に被濾過物を過剰に入れて、濾液が不用意に溢れ出てしまう虞を低減することができる。
【００１０】
第３の発明の濾過器具は、第２の発明において、前記フィルタ要素はフィルタ面を形成し、前記通路形成部は濾液が容器から溢れる溢れ位置を有し、前記溢れ位置は前記フィルタ面よりも上方に位置し、前記フィルタ要素が前記液量目視部を形成していることを特徴とする。
【００１１】
本発明によれば、溢れ位置がフィルタ面よりも上方に位置するため、容器から濾液が溢れ出る前にフィルタ要素の上に濾液が出てくる。そのため、フィルタ要素が液量目視部として機能し、濾液が不用意に溢れ出てしまう虞を低減することができる。
【００１２】
第４の発明の濾過器具は、第２の発明において、前記通路形成部は、前記容器の外側に向かって開口する開口部を有し、前記開口部は濾過器具の上方から目視可能とされ、前記開口部が前記液量目視部を形成することを特徴とする。
【００１３】
本発明によれば、上方から開口部を目視可能であるため、開口部から濾液が溢れ出る前に開口部付近にまで到達した濾液を目視することができる。そのため、開口部あるいは開口部付近の通路が液量目視部として機能し、濾液が不用意に溢れ出てしまう虞を低減することができる。
【００１４】
第５の発明の濾過器具は、第４の発明において、前記通路形成部は、濾過器具の上方から目視可能な段差部を有することを特徴とする。
【００１５】
本発明によれば、濾液が段差部まで到達したことを目視することにより、濾液が所定量に達したことを容易に認識することができる。
【００１６】
第６の発明の濾過器具は、第１から５のいずれかの発明において、前記フィルタ本体は、前記フィルタ本体が前記容器に組付けられた状態で容器に収容された濾液を排出する際に、前記フィルタ要素から濾液が排出されることを抑止する抑止部を有することを特徴とする。
【００１７】
本発明によれば、フィルタ本体が、フィルタ要素から濾液が排出されることを抑止する抑止部を有するため、フィルタ本体が容器に組付けられた状態で濾液を排出する際、フィルタ要素側から濾液がこぼれる虞を低減させることができる。
【図面の簡単な説明】
【００１８】
【図１】（ａ）は濾過器具を示す斜視図であり、（ｂ）はそのフィルタ本体を示す斜視図であり、（ｃ）はその容器を示す斜視図である。
【図２】（ａ）は濾過姿勢を取っている濾過器具を示す断面図であり、（ｂ）は排出姿勢を取っている濾過器具を示す断面図である。
【図３】（ａ）は別の濾過器具を示す斜視図であり、（ｂ）はそのフィルタ本体を示す斜視図であり、（ｃ）はその容器を示す斜視図である。
【図４】（ａ）は濾過姿勢の別の濾過器具を示す断面図であり、（ｂ）は収納状態の別の濾過器具を示す断面図であり、（ｃ）はさらに別の濾過器具の容器を示す断面図である。
【発明を実施するための形態】
【００１９】
〔第１の実施形態〕
以下に、本発明を具体化した一実施の形態について図面を参照しつつ説明する。本実施形態では、血栓吸引カテーテルにより体内から吸引された血液および血栓の混合物を濾過するための濾過器具について具体化している。図１（ａ）は濾過器具１０を示す斜視図であり、（ｂ）はそのフィルタ本体２０を示す斜視図であり、（ｃ）はその容器４０を示す斜視図である。図２（ａ）は濾過姿勢の濾過器具１０を示す断面図であり、（ｂ）は排出姿勢の濾過器具１０を示す断面図である。
【００２０】
図１（ａ）に示すように、濾過器具１０は、フィルタ本体２０と容器４０とを備えている。フィルタ本体２０は、容器４０の上部に組付け可能に形成され、血液と血栓の混合物等の被濾過物を濾過する。容器４０は、血液等の濾液を収容する。
【００２１】
図１（ｂ）に示すように、フィルタ本体２０は、被濾過物を濾過するための複数の、本実施形態では２つのフィルタ要素２１と、フィルタ要素２１が取付けられる枠体３０とを備える。フィルタ要素２１は、略平面状に広がっており、フィルタ面を形成している。フィルタ要素２１は、所定の目の粗さを有する網状体であるメッシュから形成されている。フィルタ要素２１の形成材料としては、ポリプロピレン、ポリエチレンテレフタレート、ポリカーボネート、ナイロン等の樹脂、ステンレス等の金属を用いることができる。
【００２２】
図１（ｂ）および図２（ａ）に示すように、枠体３０は、フィルタ要素２１を固定するとともに、枠体３０自体が容器４０に固定されるように形成されている。枠体３０は、フィルタ要素２１が取付けられる取付壁３１と、取付壁３１の周囲に位置し、枠体３０において取付壁３１以外の部分を構成する周壁３２とを備える。取付壁３１の内側の縁により開口が形成されており、この開口を塞ぐようにしてフィルタ要素２１が枠体３０の取付壁３１に取付けられている。具体的には、フィルタ要素２１の縁部の上面が取付壁３１の下面に固定されている。この固定は、接着、溶着等により行うことができる。あるいは、枠体３０の成形の際にインサート成形を行うことによりフィルタ要素２１を枠体３０に固定することもできる。
【００２３】
周壁３２は、外縁部３３と側壁部３４と傾斜壁部３５と仕切壁３６とを備えている。外縁部３３はフランジ状あるいは鍔状をなしており、枠体３０の上部において枠体３０の周縁部を形成している。外縁部３３は、水平面を形成するように広がっている。なお、本明細書において、上方、下方、上部、下部、水平、鉛直等の方向や位置等を示す用語は、特に断らない限り、濾過器具１０の通常の使用状態、すなわち濾過器具１０が略水平なところに置かれた濾過姿勢を取っている場合における方向や位置を示している。
【００２４】
側壁部３４は、外縁部３３の内側縁から略下方に延びている。側壁部３４は、外縁部３３が広がる方向とは略直交する方向、すなわち略鉛直方向に延びている。側壁部３４は、上端よりも下端のほうが枠体３０の中心に近くなるようにわずかに傾斜している。傾斜壁部３５は側壁部３４の下端から、下方向、かつ枠体３０の中心に向かう方向に傾斜するように延びている。傾斜壁３５の下端、すなわち内側縁が取付壁３１と連結されている。
【００２５】
仕切壁３６は、フィルタ本体２０を複数の領域、本実施形態では２つの領域に区切るようにして設けられている。具体的には、仕切壁３６は、水平方向に広がる仕切壁上部３６ａと、仕切壁上部３６ａと連結され鉛直方向に延びる仕切壁側部３６ｂとを備える。仕切壁上部３６ａは、外縁部３３と連なり、外縁部３３と同一平面上に位置している。
【００２６】
フィルタ要素２１と取付壁３１と側壁部３４と傾斜壁部３５と仕切壁３６とにより囲まれる空間が、被濾過物が投入される投入空間２０ａを形成している。すなわちフィルタ本体２０は、仕切壁３６により仕切られた複数の、本実施形態では２つの投入空間２０ａを有しており、各投入空間２０ａにはそれぞれ１つのフィルタ要素２１が設けられるようになっている。投入空間２０ａの容積は、被濾過物が溢れないように、一度に投入される被濾過物の量を想定して設定されている。
【００２７】
枠体３０は、ポリプロピレン、ポリエチレンテレフタレート、ポリカーボネート、ナイロン等の樹脂を形成材料として射出成形、真空成形等により一体的に成形されている。
【００２８】
図１（ｃ）および図２（ａ）に示すように、容器４０は、平らな底壁４１と、底壁４１の周囲に位置し、容器４０において底壁４１以外の部分を構成する周壁４２とを備える。底壁４１は、水平面状に広がっている。底壁４１が平らであるため、容器４０を安定した状態で置くことが可能となっている。周壁４２は全体として底壁４１と直交する方向、すなわち鉛直に立つようにして底壁４１の外縁から延びている。周壁４２は、上縁部４３と側壁部４４と張出部４５とを備える。
【００２９】
上縁部４３は、容器４０の上部において水平面を形成するように広がっている。上縁部４３は、枠体３０の外縁部３３と略対応する形状を有している。
【００３０】
側壁部４４は、上縁部４３の内側縁から略下方に延びている。側壁部４４は、上縁部４３が広がる方向とは略直交する方向、すなわち略鉛直方向に延びている。側壁部４４は、全体として上端よりも下端のほうが容器４０の中心に近くなるようにわずかに傾斜している。詳細には、側壁部４４は、側壁上部４４ａと側壁中部４４ｂと側壁下部４４ｃとを備える。
【００３１】
側壁上部４４ａは、略鉛直に延びているが、上端よりも下端のほうが容器４０の中心に近くなるようにわずかに傾斜している。具体的には、容器４０の側壁上部４４ａは、枠体３０の側壁部３４と対応するように、側壁部３４と同程度に傾斜している。このため、枠体３０の側壁部３４と容器４０の側壁上部４４ａとが接触する状態で、フィルタ本体２０を容器４０に嵌合させることが可能になっている。
【００３２】
側壁中部４４ｂは、底壁４１と直交する方向、すなわち鉛直方向に対して側壁上部４４ａよりも大きく傾斜している。側壁下部４４ｃは、底壁４１と直交する方向、すなわち鉛直方向に対して側壁上部４４ａと同程度に傾斜している。側壁部４４の下端、すなわち側壁下部４４ｃの下端が底壁４１の外縁に連なっている。
【００３３】
上縁部４３の外縁から張出部４５が延びている。張出部４５は、上縁部４３の外縁から略下方に延びる縦張出部４５ａと、縦張出部４５ａの下端から容器４０の外方向に延びる横張出部４５ｂとを備える。縦張出部４５ａは、上縁部４３と略直交する方向に延びており、上端よりも下端のほうが容器４０の外側に位置するようにわずかに傾斜している。横張出部４５ｂは、上縁部４３と平行となるように延びている。
【００３４】
容器４０の周壁４２は、複数の、本実施形態では２つの通路形成部としての凹部４６を有している。凹部４６は、容器４０に収容された濾液を排出するための通路１２を形成する。この凹部４６は、上縁部４３と側壁部４４と張出部４５の一部を凹ませた形状とすることによって構成されている。凹部４６は、上側に位置する切欠凹部４７と、下側に位置する窪凹部４８とを含む。切欠凹部４７は、周壁４２の上部の一部を切り欠いた形状とすることによって構成されている。切欠凹部４７の下端は濾液が容器４０から溢れる溢れ位置となっており、濾過器具１０が濾過姿勢を取っている状態で容器４０内の濾液の液面が切欠凹部４７の下端よりも上にくると容器４０から濾液が溢れる。窪凹部４８は、周壁４２、具体的には側壁部４４の内側面の一部を容器４０の外側に向かって窪ませた形状とすることによって構成されている。窪凹部４８が形成された箇所は、側壁部４４の外側に突出している。
【００３５】
容器４０は、濾液を収容するための収容空間４０ａを形成している。具体的には、底壁４１と側壁４４とにより囲まれる空間が、収容空間４０ａを形成している。容器４０の容積、すなわち収容空間４０ａの体積は、投入空間２０ａに一度に投入される被濾過物の量の２倍の量を収容可能に設定されている。
【００３６】
容器４０は、ポリプロピレン、ポリエチレンテレフタレート、ポリカーボネート、ナイロン等の樹脂を形成材料として射出成形、真空成形等により一体的に成形されている。
【００３７】
図１（ａ）および図２（ａ）を参照して、フィルタ本体２０が容器４０に組付けられた状態の濾過器具１０を説明する。図１（ａ）および図２（ａ）に示すように、被濾過物を濾過可能なようにフィルタ本体２０が容器４０に組付けられた状態を濾過器具１０の使用状態という。容器４０に対してフィルタ本体２０を上方向から嵌め込むことにより、フィルタ本体２０を容器４０の上部に組付けることができる。このとき、フィルタ本体２０が容器４０に嵌合させられた状態となっている。詳細には、枠体３０の側壁部３４が容器４０の側壁部４４に当接し、枠体３０の外縁部３３が容器４０の上縁部４３に当接している。枠体３０の側壁部３４と容器４０の側壁部４４との間の嵌合力により、枠体３０のみを持ち上げても容器４０が外れないようになっている。枠体３０の外縁部３３は、容器４０の上縁部４３よりも外側に延びている。
【００３８】
フィルタ本体２０が容器４０に組付けられた状態において、容器４０内の、すなわち収容空間４０ａ内の濾液を収容空間４０ａの外に排出するための複数の、本実施形態では２つの通路１２がフィルタ本体２０と容器４０との間に形成されている。フィルタ本体２０の外縁部３３と側壁部３４、および容器４０の凹部４６により通路１２が囲まれている。通路１２は、収容空間４０ａの外側に向かって開口する外側開口部１２ａと、収容空間４０ａ内に向かって開口する内側開口部１２ｂとを有する。収容空間４０ａ内の濾液を排出する際には、濾過器具１０を傾斜させることにより濾過器具１０が排出姿勢となり、通路１２を通して外側開口部１２ａから濾液を外に排出することが可能となっている。
【００３９】
本実施形態では、通路１２を形成する凹部４６の数と投入空間２０ａの数とフィルタ要素２１の数とが対応するように、すなわち同数になっている。
【００４０】
通路１２の外側開口部１２ａは、フィルタ要素２１のフィルタ面よりも上方に位置している。すなわち、溢れ位置である切欠凹部４７の下端はフィルタ面よりも上方に位置している。凹部４６の下端、すなわち窪凹部４８の下端は、フィルタ要素２１のフィルタ面よりも下方に位置している。図２（ａ）に示すように、通路１２付近において、フィルタ本体２０の取付壁３１と傾斜壁部３５との接続部から容器４０の凹部４６の下端部と側壁部４４との接続部までの距離Ｄ１は、フィルタ本体２０の側壁部３４と傾斜壁部３５との接続部から容器４０の切欠凹部４７と窪凹部４８との接続部までの距離Ｄ２よりも大きくなっている。
【００４１】
次に、濾過器具１０の使用方法について、血栓吸引カテーテル（以下、吸引カテーテルという）で吸引された血栓および血液を濾過する場合を説明する。吸引カテーテルを血管内に入れて推し進めていき、吸引カテーテルの先端に設けられた吸引口を血栓が存在する病変部に到達させる。吸引カテーテルの基端部に設けられたハブにシリンジを接続し、シリンジのピストンを引く。すると、シリンジ内に血液とともに血栓が吸引される。この吸引された血液と血栓の混合物を濾過し、血栓を観察・分析するために濾過器具１０を使用する。
【００４２】
フィルタ本体２０が容器４０に組付けられた使用状態の濾過器具１０を水平な台の上に置くなどして、図２（ａ）に示す略水平な濾過姿勢にする。濾過姿勢では、容器４０の底壁４１が略水平になっている。濾過器具１０の２つの投入空間２０ａの一方に、シリンジ内の血液および血栓の混合物を被濾過物として入れる。投入空間２０ａの容積は、使用が想定されるシリンジの容積に相当する。したがって、シリンジ内の混合物を一気に投入空間２０ａに入れても混合物が溢れることはない。また、仕切壁３６が設けられているため、一方の投入空間２０ａに入れた混合物が他方の投入空間２０ａには移動しないようになっている。フィルタ要素２１により混合物が濾過され、フィルタ要素２１上に濾物として血栓が残り、容器４０の収容空間４０ａ内に濾液として血液が収容される。
【００４３】
続いて、吸引カテーテルにより血栓を吸引した病変部にまでバルーンカテーテルを挿入し、バルーンを拡張させ、病変部を拡張させる。そして、再度、吸引カテーテルを病変部まで挿入し、先ほどと同様にシリンジを使用して血栓を吸引する。今度は、シリンジ内の血液および血栓の混合物を２つの投入空間２０ａのうちの未使用の投入空間２０ａ、すなわち血栓がないほうの投入空間２０ａに入れる。
【００４４】
このように、バルーンカテーテルの使用前と使用後とで別々の投入空間２０ａに血液および血栓を入れることにより、バルーンカテーテル使用前に吸引された血栓とバルーンカテーテル使用後に吸引された血栓とを個別に観察・分析することができる。
【００４５】
吸引された血液は不要であるため、血液を容器４０の外に排出する血液廃棄作業を行う。血液を容器４０から排出するために、フィルタ本体２０が容器４０に組付けられた状態のまま、濾過姿勢にある濾過器具１０を傾斜させて図２（ｂ）に示す排出姿勢を取るようにする。具体的には、一方の通路１２が血液の液面よりも下方に位置するように濾過器具１０を徐々に傾斜させていき、容器４０内の血液を排出する。排出された血液は、所定の廃液容器に入れる。
【００４６】
このとき、通路１２付近において、フィルタ本体２０の取付壁３１と傾斜壁部３５とは通路１２よりもフィルタ本体２０の中央に向かって延びている。したがって、濾過器具１０が排出姿勢を取るとき、血液が排出される側の通路１２については、取付壁３１および傾斜壁部３５が通路１２よりも上方に位置する。このため、容器４０内の血液が取付壁３１および傾斜壁部３５により押さえられ、フィルタ要素２１を通るなどしてフィルタ本体２０側から血液が漏れてしまうことが抑制されている。すなわち、取付壁３１および傾斜壁部３５がフィルタ要素２１から血液等の濾液が排出されることを抑止する抑止部として機能している。
【００４７】
また、フィルタ本体２０を容器４０から取り外して血液を排出してもよい。この場合、まず、略水平な濾過姿勢にある濾過器具１０からフィルタ本体２０を取り外す。続いて、血液が入った容器４０を傾斜させて排出姿勢にすることにより、血液を排出する。このときも容器４０の凹部４６が血液を排出するための通路１２を形成する。
【００４８】
なお、上述の使用方法においては、想定される所定の容積を有するシリンジを使用して２回の吸引を行い、２回の濾過を行った場合について説明した。しかしながら、濾過器具１０の設計時に想定された容積よりも大きな容積を有するシリンジが使用される場合、あるいは、３回以上の濾過が行われる場合も考えられる。このような場合であっても濾過器具１０から濾液である血液が不用意に溢れてしまわないようになっている。このことについて以下に説明する。濾過器具１０の投入空間２０ａに被濾過物を入れるのにともない、濾液である血液の量が増加する。それにつれて容器４０内の血液の液面は徐々に上方に移動する。ここで、溢れ位置である切欠凹部４７の下端、すなわち外側開口部１２ａの下端は、フィルタ要素２１のフィルタ面よりも上方に位置している。そのため濾液としての血液が徐々に増加していったとしても、通路１２を通して容器４０から血液が溢れる前に、フィルタ要素２１の上方に血液が上がってくるため、濾過器具１０の使用者はフィルタ要素２１上の血液を目視することにより濾過作業を停止することができる。すなわち、フィルタ要素２１は、容器４０から通路１２を通って濾液としての血液が溢れ出る前に血液の量を目視可能とする液量目視部を形成している。
以上、詳述した本実施形態によれば、以下の優れた効果が得られる。
【００４９】
体内から吸引された血液等の被濾過物を濾過するための濾過器具１０は、濾液としての血液を収容するための容器４０と、被濾過物としての血液と血栓との混合物を濾過するためのフィルタ要素２１を有し、容器４０の上部に組付け可能なフィルタ本体２０と、を備える。容器４０は、フィルタ本体２０が容器４０に組付けられた状態において、容器４０に収容された血液を排出するための通路１２を形成する通路形成部としての凹部４６を有する。この場合、フィルタ本体２０が容器４０に組付けられた状態において血液を排出するための通路１２を形成する凹部４６を有しているので、容器４０からフィルタ本体２０を取り外すことなく血液を排出することが可能であり、利便性が高くなっている。血液等の被濾過物を濾過する際には、濾過器具１０は略水平な濾過姿勢を取る。濾液を排出する際には、濾過器具１０は、濾過姿勢に対して傾斜した排出姿勢を取る。すなわち、濾過器具１０は、傾斜した排出姿勢を取るのみで濾液を排出することができる。また、容器４０からフィルタ本体２０を取り外して血液を排出することも可能であり、状況に応じて適切なやり方で濾液を容器４０から排出することができるようになっている。フィルタ本体２０を容器４０から取り外して濾液を排出する際にも、凹部４６が血液を排出するための通路１２を形成するため、血液を好適に排出することができる。
【００５０】
濾過器具１０は、容器４０から通路１２を通って濾液としての血液が溢れ出る前に血液の量を目視可能とする液量目視部としてのフィルタ要素２１を有している。この場合、液量目視部としてのフィルタ要素２１を目視することにより、血液が溢れ出る前に血液の量を目視することができる。したがって、濾過器具１０に被濾過物として血液および血栓の混合物を過剰に入れて、血液が不用意に溢れ出てしまう虞を低減することができる。
【００５１】
フィルタ要素２１はフィルタ面を形成し、通路形成部としての凹部４６は濾液としての血液が容器４０から溢れる溢れ位置を有し、溢れ位置はフィルタ面よりも上方に位置し、フィルタ要素２１が液量目視部を形成している。この場合、溢れ位置がフィルタ面よりも上方に位置するため、容器４０から血液が溢れ出る前にフィルタ要素２１の上に血液が出てくる。そのため、フィルタ要素２１が液量目視部として機能し、血液が不用意に溢れ出てしまう虞を低減することができる。
【００５２】
フィルタ本体２０は、フィルタ本体２０が容器４０に組付けられた状態で容器４０に収容された血液を排出する際に、フィルタ要素２１から血液が排出されることを抑止する抑止部としての取付壁３１および傾斜壁部３５を有する。この場合、フィルタ本体２０が、フィルタ要素２１から血液が排出されることを抑止する抑止部としての取付壁３１および傾斜壁部３５を有するため、フィルタ本体２０が容器４０に組付けられた状態で血液を排出する際、フィルタ要素２１側から血液がこぼれる虞を低減させることができる。
【００５３】
フィルタ本体２０は、仕切壁３６により仕切られた複数の、本実施形態では２つの投入空間２０ａを有する。このため、複数回の血栓吸引を行った場合、吸引１回毎に別の投入空間２０ａに被濾過物を入れることにより、吸引１回毎に濾物としての血栓を分離することができる。
【００５４】
通路１２付近において、フィルタ本体２０の取付壁３１と傾斜壁部３５との接続部から容器４０の凹部４６の下端部と側壁部４４との接続部までの距離Ｄ１は、フィルタ本体２０の側壁部３４と傾斜壁部３５との接続部から容器４０の切欠凹部４７と窪凹部４８との接続部までの距離Ｄ２よりも大きくなっている。この場合、距離Ｄ１がＤ２よりも大きくなっており、血液を容器４０から排出する際に、血液は距離Ｄ１に対応する部分を通過しやすく、血液の排出作業を良好に行うことができる。
【００５５】
枠体３０の側壁部３４と容器４０の側壁部４４との間の嵌合力により、枠体３０のみを持ち上げても容器４０が外れないようになっている。すなわち、フィルタ本体２０と容器４０とは嵌合によって組付けられ、フィルタ本体２０のみを持ち上げても容器４０が外れないようになっている。この場合、不用意にフィルタ本体２０のみを持ち上げても、フィルタ本体２０が容器４０から外れてしまうことがなく、濾過器具１０の取り扱いが容易になっている。
【００５６】
フィルタ本体２０の側壁部３４は、略鉛直に延びているが、上端よりも下端のほうが枠体３０の中心に近くなるようにわずかに傾斜している。容器４０の側壁上部４４ａは、略鉛直に延びているが、上端よりも下端のほうが容器４０の中心に近くなるようにわずかに傾斜している。すなわち、フィルタ本体２０と容器４０とが組付けられた際に互いに接触するそれぞれの部分は、略鉛直に延び、上端よりも下端のほうが濾過器具１０の中心に近くなるように傾斜している。この場合、フィルタ本体２０および容器４０のわずかな寸法誤差や製造によるバラツキなどがあったとしても、フィルタ本体２０を容器４０に良好に嵌合させることができる。
【００５７】
枠体３０の外縁部３３は、容器４０の上縁部４３よりも外側に延びている。すなわち、フィルタ本体２０が容器４０に組付けられた状態で、フィルタ本体２０は、容器４０の最上部よりも外側に延びた延出部として外縁部３３を有する。この場合、使用者は、外縁部３３を手で持つことにより、フィルタ本体２０を容器４０から容易に取り外すことができる。
【００５８】
容器４０の張出部４５は、縦張出部４５ａの下端から容器４０の外方向に延びる横張出部４５ｂを備える。すなわち、容器４０は、容器４０の外方向に延びる横張出部４５ｂを備えており、この場合、横張出部４５ｂを手で押さえることにより、フィルタ本体２０を容器４０から容易に取り外すことができる。
【００５９】
〔第２の実施形態〕
本実施形態では、濾過器具５０の構成が上記第１の実施形態と異なっている。以下、かかる濾過器具５０の構成について図３（ａ）〜（ｃ）および図４（ａ）、（ｂ）に基づいて説明する。なお、第１の実施形態と同様の点については、適宜説明を省略する。図３（ａ）は濾過器具５０を示す斜視図であり、図３（ｂ）はそのフィルタ本体６０を示す斜視図であり、図３（ｃ）はその容器８０を示す斜視図である。図４（ａ）は濾過姿勢の濾過器具５０を示す断面図であり、図４（ｂ）は収納状態の濾過器具５０を示す断面図である。
【００６０】
図３（ａ）に示すように、濾過器具５０は、フィルタ本体６０と容器８０とを備えている。フィルタ本体６０は、容器８０の上部に組付け可能に形成され、血液と血栓の混合物等の被濾過物を濾過する。容器８０は、血液等の濾液を収容する。
【００６１】
図３（ｂ）に示すように、フィルタ本体６０は、複数の、本実施形態では２つのフィルタ要素６１と、フィルタ要素６１が取付けられる枠体７０とを備える。メッシュから形成されるフィルタ要素６１は、平面状のフィルタ面を形成している。
【００６２】
図３（ｂ）および図４（ａ）に示すように、枠体７０は、フィルタ要素６１を固定するとともに、枠体７０自体が容器８０に固定されるように形成されている。枠体７０は、フィルタ要素６１が取付けられる取付壁７１と、取付壁７１の周囲に位置し、枠体７０において取付壁７１以外の部分を構成する周壁７２とを備える。フィルタ要素６１が取付壁７１に取付けられている。
【００６３】
周壁７２は、外縁部７３と側壁部７４と仕切壁７６とを備えている。外縁部７３はフランジ状あるいは鍔状をなしており、枠体７０の下部において枠体７０の周縁部を形成している。外縁部７３は、その外周縁の所定領域において下方に延びる垂下部７３ａを有する。外縁部７３の外周縁において、垂下部７３ａの設けられていない領域は、後述する排出口部８５に対応する排出口対応部７３ｂとなっている。排出口対応部７３ｂは、外縁部７３の外周縁において対称的な位置にある２つの箇所に設けられている。
【００６４】
側壁部７４は、取付壁７１と外縁部７３との間において上方に延びている。側壁部７４は、側壁部上部７４ａと、側壁部上部７４ａの内周縁から取付壁７１に延びる側壁部内側部７４ｂと、側壁部上部７４ａの外周縁から外縁部７３に延びる側壁部外側部７４ｃとを備える。略鉛直方向に延びる側壁部内側部７４ｂは、上端よりも下端のほうが枠体７０の中心に近くなるようにわずかに傾斜している。略鉛直方向に延びる側壁部外側部７４ｃは、上端よりも下端のほうが枠体７０の中心から遠くなるようにわずかに傾斜している。
【００６５】
仕切壁７６は、フィルタ本体６０を複数の領域、本実施形態では２つの領域に区切るようにして設けられている。仕切壁７６の上部が側壁部上部７４ａと同一平面上に位置している。フィルタ要素６１と取付壁７１と側壁部７４と仕切壁７６とにより囲まれる空間が、被濾過物が投入される投入空間６０ａを形成している。フィルタ本体６０は、仕切壁７６により仕切られた複数の、本実施形態では２つの投入空間６０ａを有しており、各投入空間６０ａにはそれぞれ１つのフィルタ要素６１が設けられるようになっている。投入空間６０ａの容積は、被濾過物が溢れないように、一度に投入される被濾過物の量を想定して設定されている。
【００６６】
図３（ｃ）および図４（ａ）に示すように、容器８０は、底壁８１と、底壁８１の周囲に位置し、容器８０において底壁８１以外の部分を構成する周壁８２とを備える。周壁８２は、上縁部８３と側壁部８４と通路形成部としての排出口部８５とを備える。側壁部８４は、上縁部８３の内側縁から略下方に延びており、上端よりも下端のほうが容器８０の中心に近くなるようにわずかに傾斜している。
【００６７】
排出口部８５は、側壁部８４から外側に突出している。排出口部８５は、排出口８５の上部に形成され、容器８０の外側に向かって開口する開口部８５ａを有する。更に、排出口部８５は、上方から目視可能な略水平状の段差部８５ｂを有する。排出口部８５は、容器８０に収容された濾液を排出するための通路５２を形成する。開口部８５ａは濾液が容器８０から溢れる溢れ位置となっており、濾過器具５０が濾過姿勢を取っている状態で容器８０内の濾液の液面が開口部８５ａよりも上にくると容器８０から濾液が溢れる。
【００６８】
容器８０は、濾液を収容するための収容空間８０ａを形成している。具体的には、底壁８１と側壁８４とにより囲まれる空間が、収容空間８０ａを形成している。容器８０の容積、すなわち収容空間８０ａの体積は、投入空間６０ａに一度に投入される被濾過物の量の２倍の量を収容可能に設定されている。
【００６９】
濾過器具５０において、フィルタ本体６０および容器８０の材料や製造方法は、第１の実施形態と同様である。
【００７０】
図３（ａ）および図４（ａ）を参照して、フィルタ本体６０が容器８０に組付けられた濾過姿勢にある濾過器具５０を説明する。フィルタ本体６０を容器８０の上に載せ置くことにより、フィルタ本体６０を容器８０の上部に組付けることができる。このとき、フィルタ本体６０の２つあるうちのいずれかの排出口対応部７３ｂを容器８０の排出口部８５と対応させるように組付ける。
【００７１】
本実施形態では、第１の実施形態とは異なり、フィルタ本体６０が容器８０に載せ置かれた状態となっている。詳細には、フィルタ本体６０の垂下部７３ａの内径（仮想的な内径）は、容器８０の上縁部８３の外径（仮想的な外径）よりもわずかに大きくなっている。したがって、フィルタ本体６０のみを持ち上げることにより、フィルタ本体６０が容器８０から外れるようになっている。
【００７２】
フィルタ本体６０が容器８０に組付けられた状態において、容器８０内の、すなわち収容空間８０ａ内の濾液を収容空間８０ａの外に排出するための通路５２がフィルタ本体６０と容器８０との間に形成されている。通路５２は、収容空間８０ａの外側に向かって開口する外側開口部５２ａを有する。この外側開口部５２ａは、排出口部８５の開口部８５ａにより形成されている。
【００７３】
濾過器具５０が濾過姿勢にあるとき、排出口部８５の開口部８５ａ、すなわち通路５２の外側開口部５２ａは、フィルタ要素６１のフィルタ面と略同一の高さに位置している。排出口部８５の段差部８５ｂは、フィルタ要素６１のフィルタ面よりも下方に位置している。
【００７４】
続いて、収納状態の濾過器具５０について説明する。使用前に濾過器具５０がパッケージ等に収納されているときは、図４（ｂ）に示すように、よりコンパクトな収納状態になっている。収納状態の濾過器具５０は、使用状態の濾過器具５０のフィルタ本体６０を上下逆さまにし、フィルタ本体６０の側壁部７４を容器８０の収容空間８０ａに収容した状態となっている。このとき、フィルタ本体６０の投入空間６０ａが容器８０の収容空間８０ａ内に含まれた状態となっており、濾過器具５０が全体としてコンパクトになっている。
【００７５】
次に、濾過器具５０の使用方法について説明する。
パッケージに収納されている濾過器具５０は、図４（ｂ）に示すような収納状態になっている。まずは、濾過器具５０を使用するために、フィルタ本体６０を上下逆さまにして、フィルタ本体６０の２つあるうちのいずれかの排出口対応部７３ｂを容器８０の排出口部８５と対応させるようにフィルタ本体６０を容器８０に組付け、図４（ａ）に示す濾過姿勢にする。このとき、フィルタ本体６０の垂下部７３ａにより、フィルタ本体６０が容器８０に対して動かないようになっている。すなわち、フィルタ本体６０の垂下部７３ａが容器８０の上縁部８３の周囲を囲み、フィルタ本体６０が容器８０に対して横方向に移動しようとしても、垂下部７３ａと上縁部８３とが接触して移動しないようになっている。その後、吸引カテーテルおよびシリンジを用いて、第１の実施形態と同様に濾過作業を行う。
【００７６】
濾過作業により容器８０の収容空間８０ａに収容された濾液としての血液についても、第１の実施形態と同様に、フィルタ本体６０を容器８０に組付けた状態で、あるいは、フィルタ本体６０を容器８０から取り外した状態で、濾過器具５０を排出姿勢とすることにより血液廃棄作業を行うことができる。なお、血液廃棄作業において、濾過器具５０では、取付壁７１および側壁部７４がフィルタ要素６１から血液等の濾液が排出されることを抑止する抑止部として機能する。
【００７７】
本実施形態の濾過器具５０では、濾過作業中に排出口部８５を上方から目視することにより容器８０内の濾液の量を確認することができるようになっている。このことについて、以下に説明する。
【００７８】
濾過姿勢において、排出口部８５の開口部８５ａは、容器８０の外側に向かって開口し、濾過器具５０の上方から目視可能とされている。したがって、濾過作業を続け、容器８０内の濾液としての血液の液面が容器８０の上部にまでくると、使用者は排出口部８５の開口部８５ａを目視することにより、血液の量を認識することができる。すなわち、開口部８５ａは、容器８０から通路５２を通って血液が溢れる前に血液の量を目視可能とする液量目視部を形成している。このため、使用者は、血液が溢れる前に濾過作業を停止することができる。
【００７９】
更に、濾過姿勢において、排出口部８５の段差部８５ｂは、濾過器具５０の上方から目視可能である。したがって、濾過作業を続け、容器８０内の濾液としての血液の液面が段差部８５ｂにまで到達すと、使用者は段差部８５ｂを目視することにより、容器８０内の血液の量が所定の量に達したことを認識することができる。
【００８０】
以上、詳述した本実施形態によれば、以下の優れた効果が得られる。なお、第１の実施形態と同様の効果については説明を省略する。
【００８１】
通路形成部としての排出口部８５は、容器８０の外側に向かって開口する開口部８５ａを有し、開口部８５ａは濾過器具５０の上方から目視可能とされ、開口部８５ａが液量目視部を形成する。この場合、上方から開口部８５ａを目視可能であるため、開口部８５ａから血液が溢れ出る前に開口部８５ａ付近にまで到達した血液を目視することができる。そのため、開口部８５ａあるいは開口部８５ａ付近の排出口部８５が液量目視部として機能し、血液が不用意に溢れ出てしまう虞を低減することができる。
【００８２】
排出口部８５は、濾過器具５０の上方から目視可能な段差部８５ｂを有する。この場合、血液が段差部８５ｂまで到達したことを目視することにより、血液が所定量に達したことを容易に認識することができる。
【００８３】
フィルタ本体６０は被濾過物が投入される投入空間６０ａを有し、容器８０は濾液としての血液を収容するための収容空間８０ａを有し、濾過器具５０は、投入空間６０ａが収容空間８０ａの上方に位置する使用状態と、投入空間６０ａと収容空間８０ａとが少なくとも一部重複する収納状態とを有する。この場合、濾過器具５０を使用する際には、投入空間６０ａが収容空間８０ａの上方に位置するようにフィルタ本体６０を容器８０に組付けて濾過器具５０を濾過作業可能な使用状態にすることができる。一方、濾過器具５０を収納する際には、投入空間６０ａと収容空間８０ａとが少なくとも一部重複するようにフィルタ本体６０と容器８０とを組み合わせることにより、濾過器具５０を全体としてコンパクトな収納状態にすることができる。
【００８４】
フィルタ本体６０は、投入空間６０ａを形成する側壁部７４を有し、使用状態において、側壁部７４は容器８０の上方に位置し、収納状態において、側壁部７４は容器８０内に位置する。この場合、使用状態において、投入空間６０ａを形成する側壁部７４が容器８０の上方に位置するため、側壁部７４は、容器８０の収容空間８０ａを減らすことなく投入空間６０ａを形成している。したがって、投入空間６０ａおよび収容空間８０ａの両方を比較的大きなものとすることができ、多くの被濾過物を濾過することができる。また、収納状態においては、側壁部７４を容器８０内に位置するようにしたため、濾過器具５０をコンパクトな状態で収納することができる。
【００８５】
フィルタ本体６０は、垂下部７３ａと排出口対応部７３ｂとを有している。排出口対応部７３ｂが排出口部８５に対応するようにフィルタ本体６０を組付けることにより、フィルタ本体６０が容器８０に対して動かないようになっている。すなわち、垂下部７３ａは、フィルタ本体６０が容器８０に対して固定する固定部、あるいは、移動することを抑制する移動抑制部として機能する。このため、フィルタ本体６０を安定して容器８０に組付けた使用状態とすることができる。
【００８６】
〔他の実施形態〕
（１）第２の実施形態では、排出口部８５は１つの段差部８５ｂを備えていたが、これを変更してもよい。通路形成部としての排出口部８５は、濾過器具５０の上方から目視可能な複数の段差部を有していてもよい。例えば、濾過器具５０の容器８０において、図４（ｃ）に示すように、排出口部８５は、第１段差部８５ｃと、第1段差部８５ｃよりも上方に設けられた第２段差部８５ｄとを備えていてもよい。濾過器具５０の濾過姿勢において、これら２つの段差部８５ｃ，８５ｄは上方から目視可能となっている。したがって、使用者は、容器８０内の濾液が第１段差部８５ｃに到達したことを目視することにより、濾液の量が第１の所定量に達したことを認識し、濾液が第２段差部８５ｄに到達したことを目視することにより、濾液の量が第２の所定量に達したことを認識することができる。すなわち、使用者は、濾液の量を段階的に認識することができる。
【００８７】
この際、第１段差部８５ｃおよび第２段差部８５ｄが濾液の量を示す液量表示を有していてもよい。例えば、第１段差部８５ｃに「７０％」または「７０ｍｌ」といった液量表示を設け、第２段差部８５ｄに「１００％」または「１００ｍｌ」といった液量表示を設けてもよい。
【００８８】
また、図４（ｃ）に示すように、排出口部８５が支持部８５ｅを有していてもよい。排出口部８５は容器８０から側方に突出しており、排出口部８５は、支持部８５ｅを有し、支持部８５ｅの底の少なくとも一部は、容器８０の底壁８１と略同一平面上にある。例えば、支持部８５ｅは、所定の厚みを有し、鉛直方向に延びるリブにより形成することができ、支持部８５ｅの底が容器８０の底壁８１と略同一平面上にある。
【００８９】
排出口部８５が容器８０から側方に突出しているため、濾液の排出を好適に行うことができる。しかしながら、使用者が、排出口部８５を上方から不用意に押してしまった場合、濾過器具５０を傾けてしまったり、ひっくり返してしまったりする虞がある。この点、排出口部８５が上記のような支持部８５ｅを有しているため、使用者が排出口部８５を上方から押してしまった場合であっても、支持部８５ｅが排出口部８５を支え、濾過器具５０が傾いたり、ひっくり返ったりする虞を低減することができる。
【００９０】
（２）濾過器具１０，５０が、フィルタ本体２０，６０の上部に取付け可能な蓋を備えていてもよい。この場合、蓋により、投入空間２０ａ，６０ａに異物が混入することを防止することができる。
【００９１】
（３）上記実施形態においては、濾過器具１０，５０のフィルタ本体２０，６０が、２つの投入空間２０ａ，６０ａおよび２つのフィルタ要素２１，６１を有していたが、これを変更してもよい。濾過器具１０，５０が１つの投入空間２０ａ，６０ａおよび１つのフィルタ要素２１，６１を有していてもよく、或いは、３つ以上の投入空間２０ａ，６０ａおよび３つ以上のフィルタ要素２１，６１を有していてもよい。この場合、投入空間２０ａ，６０ａおよびフィルタ要素２１，６１の数に合わせて、仕切壁３６，７６をなくしたり、仕切壁３６，７６の構成を変更したりすればよい。
【００９２】
（４）上記実施形態においては、濾過器具１０，５０の容器４０，８０は１つの収容空間４０ａ，８０ａを有していたが、これに変えて容器４０，８０が複数の収容空間４０ａ，８０ａを有していてもよい。例えば、容器４０，８０が収容空間４０ａ，８０ａを仕切る仕切壁を有し、投入空間２０ａ，６０ａの数と同数の収容空間４０ａ，８０ａを有していてもよい。この場合、容器４０，８０が、収容空間４０ａ，８０ａ毎に１つの通路１２，５２が形成されるように複数の通路形成部としての凹部４６または排出口部８５を備えるようにすればよい。
【００９３】
（５）第２の実施形態の濾過器具５０において、排出口部８５の形状を変更してもよい。例えば、排出口部８５の先端部をより丸みを帯びた形状としてもよく、開口部８５ａの形状を半円状としてもよい。
（本明細書の開示範囲から抽出される他の発明について）
【００９４】
以下に、本明細書の開示範囲において課題を解決するための手段欄に記載した発明以外に抽出可能な発明について、必要に応じて効果等を示しつつ説明する。
（付記１）  体内から吸引された血液等の被濾過物を濾過するための濾過器具であって、
被濾過物を濾過するためのフィルタ要素と、
濾液を収容するための収容空間と、
収納空間から濾液を排出するための通路を形成する通路形成部と、
を備え、
前記通路を通って濾過器具から濾液が溢れ出る前に濾液の量を目視可能とする液量目視部が設けられていることを特徴とする濾過器具。
【００９５】
従来、濾液を排出するための通路が形成された濾過器具においては、被濾過物を過剰に濾過すると、濾過器具から濾液が溢れてしまうことがあった。この場合、溢れた濾液によりその周囲が汚されてしまうことが懸念される。この点、上記の構成とすれば、液量目視部を目視することにより、濾液が溢れ出る前に濾液の量を目視することができる。したがって、濾過器具に被濾過物を過剰に入れて、濾液が不用意に溢れ出てしまう虞を低減することができる。
【００９６】
（付記２）  前記フィルタ要素はフィルタ面を形成し、
前記通路形成部は濾液が濾過器具から溢れる溢れ位置を有し、
前記溢れ位置は前記フィルタ面よりも上方に位置し、
前記フィルタ要素が前記液量目視部を形成していることを特徴とする付記１に記載の濾過器具。
【００９７】
この場合、溢れ位置がフィルタ面よりも上方に位置するため、濾過器具から濾液が溢れ出る前にフィルタ要素の上に濾液が出てくる。そのため、フィルタ要素が液量目視部として機能し、濾液が不用意に溢れ出てしまう虞を低減することができる。
【００９８】
（付記３）  前記通路形成部は、前記容器の外側に向かって開口する開口部を有し、前記開口部は濾過器具の上方から目視可能とされ、前記開口部が前記液量目視部を形成することを特徴とする付記２に記載の濾過器具。
【００９９】
この場合、上方から開口部を目視可能であるため、開口部から濾液が溢れ出る前に開口部付近にまで到達した濾液を目視することができる。そのため、開口部あるいは開口部付近の通路が液量目視部として機能し、濾液が不用意に溢れ出てしまう虞を低減することができる。
【０１００】
（付記４）前記通路形成部は、濾過器具の上方から目視可能な段差部を有することを特徴とする付記３に記載の濾過器具。
【０１０１】
この場合、濾液が段差部まで到達したことを目視することにより、濾液が所定量に達したことを容易に認識することができる。
【０１０２】
（付記５）体内から吸引された血液等の被濾過物を濾過するための濾過器具であって、
被濾過物を濾過するためのフィルタ要素と、
濾液を収容するための収容空間と、
収納空間から濾液を排出するための通路を形成する通路形成部と、
を備え、
収容空間に収容された濾液を排出する際に、前記フィルタ要素から濾液が排出されることを抑止する抑止部が設けられていることを特徴とする濾過器具。
【０１０３】
従来、濾液を排出するための通路が形成された濾過器具においては、当該通路から濾液を排出しようとする際に、濾過器具を不用意に傾斜させ過ぎるなどして、誤ってフィルタ要素側から濾液を排出してしまうことがあった。この場合、フィルタ要素側から排出された濾液がこぼれたり、フィルタ要素側から排出された濾液によりフィルタ要素上の濾物が流されたりしてしまうことが懸念される。この点、フィルタ要素から濾液が排出されることを抑止する抑止部が設けられているため、濾液を排出する際、フィルタ要素側から濾液がこぼれる虞を低減させることができる。
【符号の説明】
【０１０４】
１０，５０…濾過器具、１２，５２…通路、２０，６０…フィルタ本体、２１，６１…フィルタ要素、３１，７１…抑止部としての取付壁、３５…抑止部としての傾斜壁部、４０，８０…容器、４６…通路形成部としての凹部、７４…抑止部としての側壁部、８５…通路形成部としての排出口部、８５ａ…開口部、８５ｂ，８５ｃ，８５ｄ…段差部
【図１】
0005995312.tif 000002
【図２】
0005995312.tif 000003
【図３】
0005995312.tif 000004
【図４】
0005995312.tif 000005